(57)【要約】  【課題】  利用者を現在位置より目的地まで容易に且つ確実に導く目的地案内装置、プログラム及びその記録媒体を提供する。  【解決手段】目的地への所定場所からの道順を実写映像で記録した実写映像動画を記憶する動画記憶手段と、目的地表示コンテンツと、所定場所を示すと共に対応する実写映像動画へのリンクを含む出発地表示コンテンツとを含んで構成される表示用コンテンツを記憶する記憶手段と、端末に表示用コンテンツを送信する表示用コンテンツ送信手段と、端末からの表示指示に基づいて、対応する実写映像動画を端末に送信する動画送信手段とを備える目的地案内装置、プログラム及びその記録媒体を提供する。【選択図】  図１
2006052976.tif 000002
【特許請求の範囲】
【請求項１】
移動先である目的地への所定場所からの道順を実写映像で記録した実写映像動画を記憶する動画記憶手段と、
上記目的地を示す目的地表示コンテンツと、上記所定場所を示すと共に当該所定場所に対応する実写映像動画へのリンクを含む出発地表示コンテンツとを含む表示用コンテンツを格納する表示用コンテンツ記憶手段と、
ネットワークを介して接続された端末からの指示に基づいて上記表示用コンテンツを送信する表示用コンテンツ送信手段と、
端末からの、上記出発地表示コンテンツに含まれるリンクの表示指示に基づいて、当該リンクに対応する実写映像動画を端末に送信する動画送信手段と
を備えることを特徴とする目的地案内装置。
【請求項２】
上記実写映像動画を当該実写映像動画に対応する所定場所の位置情報と関連付けて記憶する上記動画記憶手段と、
上記端末から、当該端末の現在の位置情報である現在位置情報を受信する現在位置情報受信手段と、
上記受信した現在位置情報と複数の上記所定場所の位置情報とに基づいて、上記現在位置情報に最も近い所定場所に対応する実写映像動画を選択する動画選択手段とを備え、
上記動画手段は、上記動画選択手段により選択された実写映像動画を送信する請求項１に記載の目的地案内装置。
【請求項３】
上記所定場所と目的地間の道路の渋滞情報を受信する渋滞情報受信手段を備え、
上記動画選択手段は、一の所定場所からの上記目的地への実写映像動画が複数種記憶されている場合に、上記渋滞情報受信手段にて受信した渋滞情報に基づいて、上記複数種の実写映像動画から実写映像動画を選択する請求項２に記載の目的地案内装置。
【請求項４】
上記渋滞情報受信手段は、VICS（Vehicle Information and Communication System）又は、FM-VICS受信機である請求項３に記載の目的地案内装置。
【請求項５】
コンピュータに、
ネットワークを介して接続された端末からの指示に基づいて、移動先である目的地を示す目的地表示コンテンツと、所定場所を示すと共に当該所定場所からの上記目的地への道順を実写映像で記録した実写映像動画へのリンクを含む出発地表示コンテンツとを含む表示用コンテンツを上記端末に送信する表示用コンテンツ送信ステップと、
上記端末からの、上記出発地表示コンテンツに含まれるリンクの表示指示に基づいて、当該リンクに対応する実写映像動画を端末に送信する実写映像動画送信ステップと
を実行させるプログラム。
【請求項６】
請求項５に記載のプログラムを記録したコンピュータ読み取り可能記録媒体。
【発明の詳細な説明】
【技術分野】
【０００１】
本発明は、目的地への道順を提供する目的地案内装置、プログラム及びその記録媒体に関するものである。
【背景技術】
【０００２】
従来、インターネット上で公開されているホームページにて、例えばある目的地と、目印となる最寄りの場所とを含む地図を表示用コンテンツとして公開することで、上記目的地への道案内を行っている。
【発明の開示】
【発明が解決しようとする課題】
【０００３】
上記目的地への道案内では、上方からの平面地図や鳥瞰図を利用しており、当該地図に上での現在位置を判断する必要があった。さらに現在位置からその目的地に向かう道順を、自己の目線に置き換えて目的地を目指す必要があった。
【０００４】
ここで、自己の位置を把握することを苦手とする人については上記従来の技術では道に迷うケースが多発する。
【０００５】
また、例えば車載のナビゲーションシステム等では、目的地近辺までのナビゲーションは行われるが、GPS（Global Positioning System）の精度や目的地設定の精度の問題から目的地付近でナビゲーションを終了してしまうため、結局地図を参照して目的地を探す必要があった。
【０００６】
従って本発明は、上記従来の事情に基づいて提案されたものであって、利用者を現在位置より目的地まで容易に且つ確実に導く目的地案内装置、プログラム及びその記録媒体を提供することを目的とする。
【課題を解決するための手段】
【０００７】
本発明は、上記目的を達成するために以下の手段を採用している。すなわち本発明における目的地案内装置は、目的地への所定場所からの道順を実写映像で記録した実写映像動画を記憶する動画記憶手段と、目的地表示コンテンツと、所定場所を示すと共に対応する実写映像動画へのリンクを含む出発地表示コンテンツとを含んで構成される表示用コンテンツを記憶する記憶手段と、端末に表示用コンテンツを送信する表示用コンテンツ送信手段と、端末からの表示指示に基づいて、対応する実写映像動画を端末に送信する動画送信手段とを備える。
この構成では、ユーザは、実写映像動画を見ることにより、実際の道順を記憶することができる。これにより、ユーザは、実際に目的地を訪問する際でも、所定場所からの道順をあたかも過去に経験したかのように的確に導くことが可能となり、結果として道に迷うことが無くなる。
【０００８】
また、実写映像動画を、対応する所定場所の位置情報と関連付けて記憶する動画記憶手段と、端末から、当該端末の現在の位置情報である現在位置情報を受信する現在位置情報受信手段と、受信した現在位置情報と複数の所定場所の位置情報とに基づいて、現在位置情報に最も近い所定場所に対応する実写映像動画を選択する動画選択手段とを備え、動画選択手段により選択された実写映像動画を送信する構成がある。
【０００９】
この構成では、ユーザ端末の現在位置情報を取得することで、ユーザが地図上の適切なスタート位置を選択しなくても、適切なスタート地点からの映像を送信することが可能となる。
【００１０】
さらに、所定場所と目的地間の道路の渋滞情報を受信する渋滞情報受信手段を備え、動画選択手段は、一の所定場所からの目的地への実写映像動画が複数種記憶されている場合に、渋滞情報受信手段にて受信した渋滞情報に基づいて、複数種の実写映像動画から実写映像動画を選択する構成がある。尚、渋滞情報受信手段は、VICS（Vehicle Information and Communication System）又は、FM-VICS受信機とすることができる。
【００１１】
この構成では、渋滞情報に基づいて動画ファイルを選択することで、例えば自動車での訪問の場合には、渋滞を避けて目的地を訪問することが可能になる。
【００１２】
ここで、上記目的地案内装置は、コンピュータを用いて具体化することができる。その場合、記憶手段を除く各手段は、コンピュータ上でプログラムを動作させることにより具体化される。
【発明の効果】
【００１３】
ユーザは、実写映像動画を見ることにより、実際の道順を記憶することができる。これにより、ユーザは、実際に目的地を訪問する際でも、所定場所からの道順をあたかも過去に経験したかのように容易に且つ確実に導くことが可能となり、結果として道に迷うことが無くなる。
【００１４】
また、ユーザ端末の現在位置情報を取得することで、ユーザが地図上の適切なスタート位置を選択しなくても、適切なスタート地点からの映像を送信することが可能となる。
【００１５】
さらに、自動車での訪問の場合には、渋滞を避けて目的地を訪問することが可能になる。
【発明を実施するための最良の形態】
【００１６】
以下、添付図面を参照して、本発明の実施の形態につき説明し、本発明の理解に供する。尚、以下の実施の形態は、本発明を具体化した一例であって、本発明の技術的範囲を限定する性格のものではない。また、フローチャートにおける数値の前に付されたアルファベット「Ｓ」はステップを意味する。
【００１７】
（実施の形態１）
以下、本発明に係る実施の形態における目的地案内装置の処理について説明する。
【００１８】
図１は、本発明の一実施の形態に係る目的地案内装置１０１の概略機能ブロック図であるが、各手段の処理等については後述する。
【００１９】
図２は、目的地案内装置１０１とユーザ端末２０１による目的地案内システムの構成例であり、複数のユーザ端末２０１と目的地案内装置１０１とがネットワーク２０２を介してそれぞれ通信可能に接続される。また、目的地案内装置１０１は、その構成によってはＦＭ波を受信可能である。
【００２０】
また、図３は、目的地案内装置１０１の概略構成図であり、ＣＰＵ（Central Processing Unit）３０１、ＲＡＭ（Random Access Memory）３０２、ＲＯＭ（Read Only Memory）３０３、ＨＤＤ（Hard Disk Drive）３０４及びネットワークＩ／Ｆ（インターフェイス）３０５が内部バス３０６を介して接続されている。上記ＣＰＵ３０１は、例えばＲＡＭ３０２を作業領域として利用し、ＲＯＭ３０３やＨＤＤ３０４等に記憶されているプログラムを実行することで上記図１に示した各手段として動作する。上記ネットワークＩ／Ｆ３０５は、ネットワークと接続されており、他の機器とデータの授受が可能となっている。また、ユーザ端末２０１の構成も上記目的地案内装置１０１と同様であり、上記記憶されているプログラムが異なることで、異なる処理を実行可能となっている
続いて、目的地案内装置１０１及びユーザ端末２０１における処理の詳細について、図７の目的地案内装置の処理を示すフローチャートを参照しながら説明する。
【００２１】
まず、目的地へ移動しようとするユーザは、ユーザ端末２０１より、ネットワーク２０２を介して目的地案内装置１０１にアクセスする。尚、理解に供するため、上記ユーザは「Ａ動物病院」への訪問を目的とするものとする。この場合、ユーザは、上記ユーザ端末２０１上でブラウザ（ホームページ閲覧のためのソフトウエア）を起動して検索サイトに接続し、検索サイトでＡ動物病院を検索する。当該検索結果がユーザ端末２０１に接続されるディスプレイに表示され、当該表示を選択することで、ユーザは上記目的地案内装置１０１にアクセス可能となる。
【００２２】
次に、目的地案内装置１０１では、ユーザ端末２０１からのアクセスは、送受信手段１０２を介して表示用コンテンツ送信手段１０３で受信される（図７：Ｓ７０１）。
【００２３】
上記アクセスを受信すると、上記表示用コンテンツ送信手段１０３は、表示用コンテンツ記憶手段１０４より所定の表示用コンテンツを読み出して、上記ユーザ端末２０１に返信する（図７：Ｓ７０２）。
【００２４】
ここで、一般的には最初のアクセスに対して送信される表示用コンテンツは、例えば当該Ａ動物病院を紹介するための様々なメニューが付されて構成されるが、本発明とは直接関係しないために、当該メニューについては省略する。尚、ここで送信される表示用コンテンツの一例を図４に示す。
【００２５】
図４に示された表示用コンテンツ４００には、目的地であるＡ動物病院を示すコンテンツ４０１（目的地表示コンテンツ）と、Ａ動物病院を訪問する場合の代表的な目印となる場所を示すコンテンツ４０２〜４０５（出発地表示コンテンツ）とが含まれている。上記コンテンツ４０２は、ここでは電車の駅である「Ｒ駅」を示し、コンテンツ４０３、４０５は、それぞれ店舗である「Ｔ店」「Ｓ店」を示す。また、コンテンツ４０４は、ガソリンスタンドである「Ｕスタンド」を示すものとする。
【００２６】
さらに、当該表示用コンテンツ４００を図示した場合には表示されないが、表示用コンテンツ４００の各コンテンツ４０２〜４０５には、各コンテンツに対応する場所（コンテンツ４０２の場合にはＲ駅）からコンテンツ４０１（Ａ動物病院）までの道順を実写映像で記録した実写映像動画ファイルへのリンク情報が含まれている。当該リンク情報は、具体的には例えばＨＴＭＬ（HyperText Markup Language）の記述＜href＞等にて記される。
【００２７】
次に、上記表示用コンテンツ４００がユーザ端末２０１のディスプレイに表示されると、ユーザは希望する目印をマウス等のポインティングデバイス等を用いて選択する。ここでは、当該ユーザは、「Ｒ駅」を示すコンテンツ４０２を選択したものとする。
【００２８】
ユーザがコンテンツ４０２を選択すると、当該コンテンツ４０２にリンクされている、Ｒ駅からＡ動物病院までの道順を記録した実写映像動画（ファイル名はA-R-01.wmaとする）を送信する旨を示す、リンク動画送信指示が送受信手段１０２を介して動画選択手段１０６に受信される（図７：Ｓ７０３）。
【００２９】
上記リンク動画送信指示を受信した動画選択手段１０６は、当該指示に対応する実写映像動画（A-R-01.wma）を動画記憶手段１０７より取得し、動画送信手段１０９を介して上記ユーザ端末２０１に送信する（図７：Ｓ７０４）。
【００３０】
上記実写映像動画は、ユーザ端末２０１上で再生される。ここで、当該実写映像動画は、Ｒ駅からＡ動物病院までの経路を、人の目線で順次撮影した動画であり、経路上で目印となる建物、交差点、看板などを含んで撮影されている。
【００３１】
ユーザは、上記表示用コンテンツ４００（地図）と、上記実写映像動画とを見ることにより、実際の道順を記憶することができる。これにより、ユーザは、実際にＡ動物病院を訪問する際でも、Ｒ駅からの道順をあたかも過去に経験したかのように移動することが可能となり、結果として道に迷うことが無くなる。
【００３２】
尚、上記ユーザ端末２０１を、携帯電話などの携帯可能な携帯端末としてもよい。携帯端末を利用することで、移動の際に実写映像動画を再生することが可能となり、記憶に頼ることなく目的地を確実に訪問可能となる。
【００３３】
（実施の形態２）
続いて、本発明の実施の形態２に係る目的地案内装置について説明する。尚、上記実施の形態１と同様の処理については説明を省略する。
【００３４】
本実施の形態２では、上記目的地案内装置１０１は、上記構成に加えて現在位置情報受信手段１０５を備える。当該現在位置情報受信手段１０５は、例えば携帯電話等に備えられたＧＰＳ（Global Positioning System）機能などから、目的地案内装置１０１にアクセスしているユーザ端末２０１の現在位置を取得可能となっている。
【００３５】
つまり、上記ステップＳ７０３にてリンク動画送信指示を受信する際に、上記現在位置情報受信手段１０５は、さらに上記ユーザ端末２０１より、当該ユーザ端末の現在位置を例えば「北緯」「東経」といった情報で受信する（図８Ａ：Ｓ７０１→Ｓ７０２→Ｓ８０１）。この場合、上記実施の形態１と異なる点は、ユーザは希望する目印、つまり複数あるコンテンツ４０２〜４０５のうちの１つを指定（選択）する必要は無い。例えば「道案内」ボタンを選択するのみでよい。
【００３６】
上記現在位置情報受信手段１０５が上記現在位置情報を受信すると、上記リンク動画送信指示と併せて動画選択手段１０６に送信される。尚、上記実施の形態１では、上記リンク動画送信指示に、「Ｒ駅からＡ動物病院までの道順を記録した実写映像動画」を送信する旨が含まれていたが、ここでは、目的地がＡ動物病院である旨が含まれているのみでよい。
【００３７】
続いて上記動画選択手段１０６は、動画記憶手段１０７に格納される動画テーブルを参照する。ここで、動画テーブルの一例を図５に示す。動画テーブル５００には、目的地の名称である目的地名５０１、実写映像動画で道案内をする場合の目印（スタート位置）の名称である動画位置名５０２、当該目印の座標である動画位置座標５０３、当該スタート位置に対応する動画のファイル名である動画ファイル名５０４、当該ファイルの格納場所である動画格納場所５０５、経路情報５０６が格納されている。尚、経路情報５０６については後述する。
【００３８】
さて、動画選択手段１０６は、上記動画テーブル５００を参照し、目的地名５０１が「Ａ動物病院」であって、ユーザ端末２０１の現在位置情報に最も近い位置を示す動画位置座標５０３を抽出する（図８Ａ：Ｓ８０２）。ここで、ユーザが例えばコンテンツ４０４（Ｕスタンド）近辺よりアクセスしたと仮定すると、当該ユーザの現在位置情報に最も近い動画位置座標５０３は、Ｕスタンドを含むレコード５１０となる。
【００３９】
続いて上記抽出したレコード５１０の動画ファイル名５０４及び動画格納場所５０５に基づいて、対応する格納場所より実写映像動画の動画ファイル「A-U.wma」を取得し、動画送信手段１０９を介して上記ユーザ端末２０１に送信する（図８Ａ：Ｓ８０３）。
【００４０】
以後、上記動画ファイルがユーザ端末２０１にて受信され、再生される点は上記実施の形態１と同様である。
【００４１】
以上のように、ユーザ端末の現在位置情報を取得することで、ユーザ端末の現在位置情報を取得することで、ユーザが地図上の適切なスタート位置を選択しなくても、適切なスタート地点からの映像を送信することが可能となる。
【００４２】
（実施の形態３）
続いて、本発明の実施の形態３に係る目的地案内装置について説明する。尚、上記実施の形態１、２と同様の処理については説明を省略する。
【００４３】
本実施の形態３では、上記目的地案内装置１０１は、上記構成に加えて渋滞情報受信手段１０８を備える。当該渋滞情報受信手段１０８は、FM−VICS（Vehicle Information and Communication System）や、VICSより、道路の渋滞情報を取得可能となっている。
【００４４】
例えば、図６の表示用コンテンツ６００には、理解に供するため、表示用コンテンツ４００上にＲ駅からＡ動物病院までに至る２つの経路Ｘ：６０１、経路Ｙ：６０２を示している。Ｒ駅からＡ動物病院に至る経路に、経路Ｘ：６０１と経路Ｙ：６０２とがあることを意味しているが、必ずしもユーザ端末２０１にて表示される必要は無い。さらに、当該2つの経路に対応して、動画テーブル５００には、レコード５１１、５１２が含まれている。
【００４５】
さて、本実施の形態において、ユーザ端末２０１からのアクセスを受信し、リンク動画送信指示及び現在位置情報を受信する点は上記実施の形態２と同様である（図８Ｂ：Ｓ７０１→Ｓ８０１）。また、動画テーブル５００より、ユーザの現在位置情報に最も近い位置座標を選択し、該当レコードを抽出する点も上記実施の形態２と同様である（図８Ｂ：Ｓ８０２）。
【００４６】
ここで、該当レコードが複数ある場合、当該動画選択手段１０６は、当該複数レコードの経路情報５０６をそれぞれ取得する。具体的には、上記複数の該当レコードに、レコード５１１とレコード５１２が該当する。当該レコード５１１、５１２は、目的地名５０１と動画位置名５０２、さらには動画位置座標５０３が同一の値である。尚、複数のレコードが無い場合には、上記実施の形態２と同様である（図８Ｂ：Ｓ８１０Ｎｏ→Ｓ８０３）。
【００４７】
そして、複数の経路情報を取得した動画選択手段１０６は、当該経路情報Ｘ、Ｙと上記渋滞情報受信手段１０８より取得した渋滞情報とを比較する（図８Ｂ：Ｓ８１０Ｙｅｓ→Ｓ８１１→Ｓ８１２）。
【００４８】
そして、例えば、渋滞情報にて、経路Ｙ：６０２の状態が「渋滞」であり、経路Ｘ：６０１の状態が「渋滞なし」であったと仮定する。この場合、上記動画選択手段１０６は、経路情報５０６に経路Ｘを含むレコード５１１を選択する（図８Ｂ：Ｓ８１２）。
【００４９】
選択されたレコード５１１に対応する動画ファイルは、「A-R-01.wma」となり、以後、上記実施の形態２と同様に、当該動画ファイルを取得して、ユーザ端末２０１に送信する。
【００５０】
以上のように、複数の経路がある場合に、渋滞情報に基づいて動画ファイルを選択することで、例えば自動車での訪問の場合には、渋滞を避けて目的地を訪問することが可能になる。当然、道順をあたかも過去に経験したかのように移動することが可能となり、道に迷うことが無くなるのは上記同様である。
【００５１】
尚、ユーザ端末として、コンピュータや携帯電話を挙げたが、これに限らず自動車車載用ナビゲーションシステムや携帯用ナビゲーションシステムとしてもよい、
【産業上の利用可能性】
【００５２】
本発明に係る目的地案内装置、プログラム及びその記憶媒体では、ユーザは、実際に目的地を訪問する際でも、所定場所からの道順をあたかも過去に経験したかのように的確に導くことが可能となるため、目的地への道順を提供する目的地案内装置、プログラム及びその記録媒体として好適である。
【図面の簡単な説明】
【００５３】
【図１】目的地案内装置の概略機能ブロック図。
【図２】目的地案内システムの概略構成図。
【図３】目的地案内装置の概略構成図。
【図４】表示用コンテンツの一例を示す図。
【図５】動画テーブルの一例を示す図。
【図６】表示用コンテンツに複数の経路を示した図。
【図７】実施の形態１に係る目的地案内装置の処理を示すフローチャート。
【図８】実施の形態２、３に係る目的地案内装置の処理を示すフローチャート。
【符号の説明】
【００５４】
１０１  目的地案内装置
１０２  送受信手段
１０３  表示用コンテンツ送信手段
１０４  表示用コンテンツ記憶手段
１０５  現在位置情報受信手段
１０６  動画選択手段
１０７  動画記憶手段
１０８  渋滞情報受信手段
１０９  動画送信手段
【図１】
2006052976.tif 000003
【図２】
2006052976.tif 000004
【図３】
2006052976.tif 000005
【図４】
2006052976.tif 000006
【図５】
2006052976.tif 000007
【図６】
2006052976.tif 000008
【図７】
2006052976.tif 000009
【図８】
2006052976.tif 000010